(57)【要約】複数の情報層を有する光ディスクにおける個体を識別するための固有情報の読みとり精度が低い場合があった。本発明の光ディスクは、情報を保持するための第一情報層１０２および第二情報層１０４を有し、入射される光を利用して、（１）情報を再生するための、または（２）情報を記録および再生するための光ディスクであって、光ディスクに固有に与えられた個体識別情報１０６が記録された、第一情報層１０２に対して設けられたＢＣＡ領域を備えた光ディスクである。
2002037483.tif 000002
【特許請求の範囲】
【請求項１】
情報を保持するための複数の情報層を有し、入射される光を利用して、（１）前記情報を再生するための、または（２）前記情報を記録および再生するための光記録媒体であって、
前記光記録媒体に固有に与えられた固有識別情報が記録された、前記複数の情報層の内の一つの情報層に対して設けられた固有識別情報記録領域を備えた光記録媒体。
【請求項２】
前記固有識別情報記録領域は、前記複数の情報層の内の、前記光の入射される面に最も近い情報層に対して設けられた請求項１記載の光記録媒体。
【請求項３】
前記複数の情報層は、所定の基板上に形成され、
前記固有識別情報記録領域は、前記複数の情報層の内の、最も厚い前記基板上に形成された情報層に対して設けられた請求項１記載の光記録媒体。
【請求項４】
情報を保持するための複数の情報層を有し、入射される光を利用して、（１）前記情報を再生するための、または（２）前記情報を記録および再生するための光記録媒体であって、
前記光記録媒体に固有に与えられた固有識別情報が記録された、前記光が入射される方向からみて実質上重ならないように前記複数の情報層の内の二つ以上の情報層に対して設けられた固有識別情報記録領域を備えた光記録媒体。
【請求項５】
前記複数の情報層は、ディスクの形状を有する基板上に形成され、
前記固有識別情報は、前記ディスクの径方向のストライプ形状で記録されている請求項１または４記載の光記録媒体。
【請求項６】
前記複数の情報層は、レーザ照射によって不可逆かつ検出可能な二つの状態をとりうる薄膜を主として構成されている請求項１または４記載の光記録媒体。
【請求項７】
前記複数の情報層は、光照射によって溶融除去可能な薄膜を主として構成されている請求項１または４記載の光記録媒体。
【請求項８】
情報を保持するための情報層を有し、入射される光を利用して、（１）前記情報を再生するための、または（２）前記情報を記録および再生するための光記録媒体であって、
前記光記録媒体に固有に与えられた固有識別情報が記録されている位置に関する情報が記録された所定の位置情報記録領域を備えた光記録媒体。
【請求項９】
前記位置情報記録領域は、前記情報を再生するために利用されるＢＣＡ領域またはリードイン領域である請求項８記載の光記録媒体。
【請求項１０】
前記固有識別情報は、前記情報が記録されたまたは前記情報を記録するために利用されるデータ領域に記録されている請求項８記載の光記録媒体。
【請求項１１】
前記固有識別情報は、その長さが前記情報を再生する際にエラー訂正が可能な長さであるように記録されている請求項１０記載の光記録媒体。
【請求項１２】
前記情報層は、複数の記録トラックを有するディスクの形状を有する基板上に形成され、
前記固有識別情報は、その幅が前記複数の記録トラックの内の一つの記録トラック内に収まる幅であるように記録されている請求項１０記載の光記録媒体。
【請求項１３】
情報を保持するための複数の情報層を有し、入射される光を利用して、（１）前記情報を再生するための、または（２）前記情報を記録および再生するための光記録媒体を製造するための光記録媒体製造方法であって、
前記複数の情報層の内の一つの情報層に対して固有識別情報記録領域を設け、その固有識別情報記録領域に前記光記録媒体に固有に与えられた固有識別情報を記録するステップを備えた光記録媒体製造方法。
【請求項１４】
情報を保持するための複数の情報層を有し、入射される光を利用して、（１）前記情報を再生するための、または（２）前記情報を記録および再生するための光記録媒体を製造するための光記録媒体製造方法であって、
前記光が入射される方向からみて実質上重ならないように前記複数の情報層の内の二つ以上の情報層に対して固有識別情報記録領域を設け、その固有識別情報記録領域に前記光記録媒体に固有に与えられた固有識別情報を記録するステップを備えた光記録媒体製造方法。
【請求項１５】
情報を保持するための情報層を有し、入射される光を利用して、（１）前記情報を再生するための、または（２）前記情報を記録および再生するための光記録媒体を製造するための光記録媒体製造方法であって、
前記光記録媒体に固有に与えられた固有識別情報を記録するステップと、
所定の位置情報記録領域を設け、その位置情報記録領域に前記固有識別情報が記録されている位置に関する情報を記録するステップとを備えた光記録媒体製造方法。
【請求項１６】
前記情報層は、相変化記録膜を主として構成されており、
前記相変化記録膜を初期結晶化するためのレーザ光の強度変調を利用して前記固有識別情報の記録を行う請求項１３から１５の何れかに記載の光記録媒体製造方法。
【請求項１７】
前記情報層は、前記入射される光に対する反射膜を主として構成されており、
前記反射膜の溶融除去を利用して前記固有識別情報の記録を行う請求項１３から１５の何れかに記載の光記録媒体製造方法。
【請求項１８】
情報を保持するための複数の情報層を有し、入射される光を利用して、（１）前記情報を再生するための、または（２）前記情報を記録および再生するための光記録媒体を製造するための光記録媒体製造装置であって、
前記複数の情報層の内の一つの情報層に対して設けられた固有識別情報記録領域に、前記光記録媒体に固有に与えられた固有識別情報を記録するための固有識別情報記録手段を備えた光記録媒体製造装置。
【請求項１９】
情報を保持するための複数の情報層を有し、入射される光を利用して、（１）前記情報を再生するための、または（２）前記情報を記録および再生するための光記録媒体を製造するための光記録媒体製造装置であって、
前記光が入射される方向からみて実質上重ならないように前記複数の情報層の内の二つ以上の情報層に対して設けられた固有識別情報記録領域に、前記光記録媒体に固有に与えられた固有識別情報を記録するための固有識別情報記録手段を備えた光記録媒体製造装置。
【請求項２０】
情報を保持するための情報層を有し、入射される光を利用して、（１）前記情報を再生するための、または（２）前記情報を記録および再生するための光記録媒体を製造するための光記録媒体製造装置であって、
前記光記録媒体に固有に与えられた固有識別情報を記録するための固有識別情報記録手段と、
所定の位置情報記録領域に、前記固有識別情報が記録されている位置に関する情報を記録するための位置情報記録手段とを備えた光記録媒体製造装置。
【請求項２１】
前記情報層は、複数の記録トラックを有するディスクの形状を有する基板上に形成され、
前記固有識別情報記録手段は、前記記録トラックに対するトラッキングサーボを利用して前記固有識別情報の記録を行う請求項１８から２０の何れかに記載の光記録媒体製造装置。
【請求項２２】
請求項１３記載の光記録媒体製造方法の、前記複数の情報層の内の一つの情報層に対して固有識別情報記録領域を設け、その固有識別情報記録領域に前記光記録媒体に固有に与えられた固有識別情報を記録するステップをコンピュータに実行させるためのプログラム。
【請求項２３】
請求項１３記載の光記録媒体製造方法の、前記複数の情報層の内の一つの情報層に対して固有識別情報記録領域を設け、その固有識別情報記録領域に前記光記録媒体に固有に与えられた固有識別情報を記録するステップをコンピュータに実行させるためのプログラムを担持した媒体であって、コンピュータにより処理可能な媒体。
【請求項２４】
請求項１４記載の光記録媒体製造方法の、前記光が入射される方向からみて実質上重ならないように前記複数の情報層の内の二つ以上の情報層に対して固有識別情報記録領域を設け、その固有識別情報記録領域に前記光記録媒体に固有に与えられた固有識別情報を記録するステップをコンピュータに実行させるためのプログラム。
【請求項２５】
請求項１４記載の光記録媒体製造方法の、前記光が入射される方向からみて実質上重ならないように前記複数の情報層の内の二つ以上の情報層に対して固有識別情報記録領域を設け、その固有識別情報記録領域に前記光記録媒体に固有に与えられた固有識別情報を記録するステップをコンピュータに実行させるためのプログラムを担持した媒体であって、コンピュータにより処理可能な媒体。
【請求項２６】
請求項１５記載の光記録媒体製造方法の、前記光記録媒体に固有に与えられた固有識別情報を記録するステップと、所定の位置情報記録領域を設け、その位置情報記録領域に前記固有識別情報が記録されている位置に関する情報を記録するステップとの全部または一部をコンピュータに実行させるためのプログラム。
【請求項２７】
請求項１５記載の光記録媒体製造方法の、前記光記録媒体に固有に与えられた固有識別情報を記録するステップと、所定の位置情報記録領域を設け、その位置情報記録領域に前記固有識別情報が記録されている位置に関する情報を記録するステップとの全部または一部をコンピュータに実行させるためのプログラムを担持した媒体であって、コンピュータにより処理可能な媒体。
【発明の詳細な説明】
技術分野
本発明は、光記録媒体、光記録媒体製造方法、光記録媒体製造装置、プログラム、および媒体に関する。
背景技術
近年、情報機器、映像音響機器が必要とする情報量の拡大化に伴い、データアクセスの容易さ、大容量データの蓄積、機器の小型化に優れる、ディスク形状の光記録媒体、いわゆる光ディスクが注目されている。光ディスクには、再生専用型光ディスク、追記型光ディスク、記録再生型光ディスクとしての相変化型光ディスクおよび光磁気型ディスク等が存在し、ＣＤ、ＤＶＤ、ＭＯなどと呼ばれ、様々な用途に実用化されている。これら光ディスクの情報層は、例えば再生専用型光ディスクであれば、記録された情報に応じた螺旋状の凹凸のピット列を形成している合成樹脂基板とその合成樹脂基板のピット列を覆う、再生レーザ光の反射膜としての金やアルミなどの物質による金属薄膜から構成されている。
また、追記型光ディスク、書き換え可能な光ディスクにおいては、主にトラッキング用グルーブパターンを記録した合成樹脂基板と色素記録膜や相変化記録膜などの記録膜、また必要に応じて再生レーザ光を反射する反射膜が情報層の構成要素として含まれる。記録膜にはレーザ照射によって検出可能な２つの状態をとりうる薄膜を使用する。情報の再生は、再生専用型光ディスクであれば、合成樹脂基板上に形成された凹凸のピット、追記型光ディスク、書き換え可能な光ディスクであれば、グルーブ上の記録膜に対して形成されたマークによる再生レーザ光の反射光の強度変化によって、ピット、マークの有無、長さ、間隔を判別することによって行われる。
これら合成樹脂基板の作製は凹凸のピットパターン、またはグルーブパターンを有するスタンパと呼ばれる一般的にＮｉの金属原盤を使用し、ポリカーボネート等の合成樹脂を射出成形することによって作製される。この射出成形法により、同一のスタンパで同じ情報を有した合成樹脂基板を多量に素早く製造することが可能となる。但し、作製された合成樹脂基板は全て単一のスタンパより転写、作製されているため、ピット、グルーブのパターンは全て同一となり情報も全て同じとなる。
そこで、光ディスクを管理する上で、個体固有の識別情報が必要となる。例えば、著作権保護の観点から不正コピーを防止するためである。この識別情報は個々の媒体によって異なるため、上記射出成形法で形成することは不可能である。また市場で流通している一般の光ディスク記録再生装置によって書き換えが出来ないものでなければならない。そこで射出成形法とは別の方法により、個体毎に異なる固有の識別情報を追記するための技術的な提案がなされている。
ＤＶＤに対する情報追記方式としては、径方向の線の集合であるバーコード状に追加情報を記録する規格が存在する。この記録規格では、記録領域、変調方式、誤り訂正方式などが規格化されている。
この方式では、例えばＤＶＤ−ＲＯＭにおいては、作製された光ディスク内部の情報層にレーザ光を照射して、情報層を構成する金属薄膜を溶融除去し、除去部分と周囲の情報層とによって反射率の異なるバーコード状のパターンを形成するものである。
なお、金属薄膜の溶融除去のほか、光ディスク内部の情報層を構成する物質に対してレーザ光を照射し、化学的あるいは物理的あるいは光学的特性を変化させることで反射率を変化させ情報を記録する方法もある。例えば情報層を構成する物質として相変化記録膜や色素記録膜を用いた光ディスクが該当する。
これにより、当該固有情報に基づき光ディスクの出所を特定でき、情報の不正コピーを禁止し、著作権の保護を図ることができる。またこれら識別情報は他の目的、例えば製造管理の観点からディスク一枚毎に生産ロット番号、生産年月日等を書き込むことも行われている。
従来の光ディスクは、ＢＣＡ（バーストカッティングエリア、そこに記録された情報をそのように呼ぶこともある）等からなる第一の再生専用領域と、プリピットで形成された第二の専用領域と、データ領域とから構成される。
第一の再生専用領域には前述したように個体を識別するための固有情報を記録し、第二の再生専用領域には例えば光ディスクの原盤番号、当該光ディスクに記録されたデータを読み取るための最適レーザ光の強度の値等のデータが記入されている。第二の再生専用領域をリードイン領域ともいう。データ領域には再生専用型光ディスクであればコンテンツが、記録再生型光ディスクであればユーザー情報が記録される。
しかしながら、従来のＢＣＡ記録方法では、複数層の貼り併せの後にＢＣＡ記録を行うため、重ね合わされた複数の情報層にわたって記録が行われる。結果的に、個体を識別するための固有情報の読みとり精度が低下してしまい、最悪の場合にはデータの読み出しが全くできないことがあった（書き換え可能な光ディスクにおいては、各情報層における記録を最適化することが困難となり、完全に結晶化が行われなかったり、過度の熱により変形等の影響が出る場合もあった）。
また、従来のＢＣＡ記録方法では、容量が少ない割に面積が大きいＢＣＡ記録用の専用領域を占有するため、本来のデータ書き込み用の記録再生領域の縮小によって実質的な記録容量を低下させてしまうことがあった。たとえば、ＤＶＤ−ＲＡＭにおける上述の占有面積は、１．２ｍｍもの幅を有していた。
発明の開示
本発明は、上記従来のこのような課題を考慮し、複数の情報層を有する光ディスクにおける個体を識別するための固有情報の読みとり精度を向上させることができる光記録媒体、光記録媒体製造方法、光記録媒体製造装置、プログラム、および媒体を提供することを目的とするものである。
また、本発明は、上記従来のこのような課題を考慮し、個体を識別するための固有情報を記録するための専用領域を少なくすることができる光記録媒体、光記録媒体製造方法、光記録媒体製造装置、プログラム、および媒体を提供することを目的とするものである。
第一の本発明（請求項１に対応）は、情報を保持するための複数の情報層を有し、入射される光を利用して、（１）前記情報を再生するための、または（２）前記情報を記録および再生するための光記録媒体であって、
前記光記録媒体に固有に与えられた固有識別情報が記録された、前記複数の情報層の内の一つの情報層に対して設けられた固有識別情報記録領域を備えた光記録媒体である。
第二の本発明（請求項２に対応）は、前記固有識別情報記録領域は、前記複数の情報層の内の、前記光の入射される面に最も近い情報層に対して設けられた第一の本発明の光記録媒体である。
第三の本発明（請求項３に対応）は、前記複数の情報層は、所定の基板上に形成され、
前記固有識別情報記録領域は、前記複数の情報層の内の、最も厚い前記基板上に形成された情報層に対して設けられた第一の本発明の光記録媒体である。
第四の本発明（請求項４に対応）は、情報を保持するための複数の情報層を有し、入射される光を利用して、（１）前記情報を再生するための、または（２）前記情報を記録および再生するための光記録媒体であって、
前記光記録媒体に固有に与えられた固有識別情報が記録された、前記光が入射される方向からみて実質上重ならないように前記複数の情報層の内の二つ以上の情報層に対して設けられた固有識別情報記録領域を備えた光記録媒体である。
第五の本発明（請求項５に対応）は、前記複数の情報層は、ディスクの形状を有する基板上に形成され、
前記固有識別情報は、前記ディスクの径方向のストライプ形状で記録されている第一または第四の本発明の光記録媒体である。
第六の本発明（請求項６に対応）は、前記複数の情報層は、レーザ照射によって不可逆かつ検出可能な二つの状態をとりうる薄膜を主として構成されている第一または第四の本発明の光記録媒体である。
第七の本発明（請求項７に対応）は、前記複数の情報層は、光照射によって溶融除去可能な薄膜を主として構成されている第一または第四の本発明の光記録媒体である。
第八の本発明（請求項８に対応）は、情報を保持するための情報層を有し、入射される光を利用して、（１）前記情報を再生するための、または（２）前記情報を記録および再生するための光記録媒体であって、
前記光記録媒体に固有に与えられた固有識別情報が記録されている位置に関する情報が記録された所定の位置情報記録領域を備えた光記録媒体である。
第九の本発明（請求項９に対応）は、前記位置情報記録領域は、前記情報を再生するために利用されるＢＣＡ領域またはリードイン領域である第八の本発明の光記録媒体である。
第十の本発明（請求項１０に対応）は、前記固有識別情報は、前記情報が記録されたまたは前記情報を記録するために利用されるデータ領域に記録されている第八の本発明の光記録媒体である。
第十一の本発明（請求項１１に対応）は、前記固有識別情報は、その長さが前記情報を再生する際にエラー訂正が可能な長さであるように記録されている第十の本発明の光記録媒体である。
第十二の本発明（請求項１２に対応）は、前記情報層は、複数の記録トラックを有するディスクの形状を有する基板上に形成され、
前記固有識別情報は、その幅が前記複数の記録トラックの内の一つの記録トラック内に収まる幅であるように記録されている第十の本発明の光記録媒体である。
第十三の本発明（請求項１３に対応）は、情報を保持するための複数の情報層を有し、入射される光を利用して、（１）前記情報を再生するための、または（２）前記情報を記録および再生するための光記録媒体を製造するための光記録媒体製造方法であって、
前記複数の情報層の内の一つの情報層に対して固有識別情報記録領域を設け、その固有識別情報記録領域に前記光記録媒体に固有に与えられた固有識別情報を記録するステップを備えた光記録媒体製造方法である。
第十四の本発明（請求項１４に対応）は、情報を保持するための複数の情報層を有し、入射される光を利用して、（１）前記情報を再生するための、または（２）前記情報を記録および再生するための光記録媒体を製造するための光記録媒体製造方法であって、
前記光が入射される方向からみて実質上重ならないように前記複数の情報層の内の二つ以上の情報層に対して固有識別情報記録領域を設け、その固有識別情報記録領域に前記光記録媒体に固有に与えられた固有識別情報を記録するステップを備えた光記録媒体製造方法である。
第十五の本発明（請求項１５に対応）は、情報を保持するための情報層を有し、入射される光を利用して、（１）前記情報を再生するための、または（２）前記情報を記録および再生するための光記録媒体を製造するための光記録媒体製造方法であって、
前記光記録媒体に固有に与えられた固有識別情報を記録するステップと、
所定の位置情報記録領域を設け、その位置情報記録領域に前記固有識別情報が記録されている位置に関する情報を記録するステップとを備えた光記録媒体製造方法である。
第十六の本発明（請求項１６に対応）は、前記情報層は、相変化記録膜を主として構成されており、
前記相変化記録膜を初期結晶化するためのレーザ光の強度変調を利用して前記固有識別情報の記録を行う第十三から第十五の何れかの本発明の光記録媒体製造方法である。
第十七の本発明（請求項１７に対応）は、前記情報層は、前記入射される光に対する反射膜を主として構成されており、
前記反射膜の溶融除去を利用して前記固有識別情報の記録を行う第十三から第十五の何れかの本発明の光記録媒体製造方法である。
第十八の本発明（請求項１８に対応）は、情報を保持するための複数の情報層を有し、入射される光を利用して、（１）前記情報を再生するための、または（２）前記情報を記録および再生するための光記録媒体を製造するための光記録媒体製造装置であって、
前記複数の情報層の内の一つの情報層に対して設けられた固有識別情報記録領域に、前記光記録媒体に固有に与えられた固有識別情報を記録するための固有識別情報記録手段を備えた光記録媒体製造装置である。
第十九の本発明（請求項１９に対応）は、情報を保持するための複数の情報層を有し、入射される光を利用して、（１）前記情報を再生するための、または（２）前記情報を記録および再生するための光記録媒体を製造するための光記録媒体製造装置であって、
前記光が入射される方向からみて実質上重ならないように前記複数の情報層の内の二つ以上の情報層に対して設けられた固有識別情報記録領域に、前記光記録媒体に固有に与えられた固有識別情報を記録するための固有識別情報記録手段を備えた光記録媒体製造装置である。
第二十の本発明（請求項２０に対応）は、情報を保持するための情報層を有し、入射される光を利用して、（１）前記情報を再生するための、または（２）前記情報を記録および再生するための光記録媒体を製造するための光記録媒体製造装置であって、
前記光記録媒体に固有に与えられた固有識別情報を記録するための固有識別情報記録手段と、
所定の位置情報記録領域に、前記固有識別情報が記録されている位置に関する情報を記録するための位置情報記録手段とを備えた光記録媒体製造装置である。
第二十一の本発明（請求項２１に対応）は、前記情報層は、複数の記録トラックを有するディスクの形状を有する基板上に形成され、
前記固有識別情報記録手段は、前記記録トラックに対するトラッキングサーボを利用して前記固有識別情報の記録を行う第十八から第二十の何れかの本発明の光記録媒体製造装置である。
第二十二の本発明（請求項２２に対応）は、第十三の本発明の光記録媒体製造方法の、前記複数の情報層の内の一つの情報層に対して固有識別情報記録領域を設け、その固有識別情報記録領域に前記光記録媒体に固有に与えられた固有識別情報を記録するステップをコンピュータに実行させるためのプログラムである。
第二十三の本発明（請求項２３に対応）は、第十三の本発明の光記録媒体製造方法の、前記複数の情報層の内の一つの情報層に対して固有識別情報記録領域を設け、その固有識別情報記録領域に前記光記録媒体に固有に与えられた固有識別情報を記録するステップをコンピュータに実行させるためのプログラムを担持した媒体であって、コンピュータにより処理可能な媒体である。
第二十四の本発明（請求項２４に対応）は、第十四の本発明の光記録媒体製造方法の、前記光が入射される方向からみて実質上重ならないように前記複数の情報層の内の二つ以上の情報層に対して固有識別情報記録領域を設け、その固有識別情報記録領域に前記光記録媒体に固有に与えられた固有識別情報を記録するステップをコンピュータに実行させるためのプログラムである。
第二十五の本発明（請求項２５に対応）は、第十四の本発明の光記録媒体製造方法の、前記光が入射される方向からみて実質上重ならないように前記複数の情報層の内の二つ以上の情報層に対して固有識別情報記録領域を設け、その固有識別情報記録領域に前記光記録媒体に固有に与えられた固有識別情報を記録するステップをコンピュータに実行させるためのプログラムを担持した媒体であって、コンピュータにより処理可能な媒体である。
第二十六の本発明（請求項２６に対応）は、第十五の本発明の光記録媒体製造方法の、前記光記録媒体に固有に与えられた固有識別情報を記録するステップと、所定の位置情報記録領域を設け、その位置情報記録領域に前記固有識別情報が記録されている位置に関する情報を記録するステップとの全部または一部をコンピュータに実行させるためのプログラムである。
第二十七の本発明（請求項２７に対応）は、第十五の本発明の光記録媒体製造方法の、前記光記録媒体に固有に与えられた固有識別情報を記録するステップと、所定の位置情報記録領域を設け、その位置情報記録領域に前記固有識別情報が記録されている位置に関する情報を記録するステップとの全部または一部をコンピュータに実行させるためのプログラムを担持した媒体であって、コンピュータにより処理可能な媒体である。
発明を実施するための最良の形態
以下に、本発明にかかる実施の形態について、図面を参照しつつ説明を行う。
なお、その理解を容易にするために、本実施の形態１〜３について詳しく説明するに先だってこれらに共通する説明をあらかじめ行う。
図１は本実施の形態１と実施の形態２における光記録媒体、特に光ディスクについて示した図である。図１は特に情報層が２層のみの場合を示している。
これらにおける光ディスクは凹凸の記録トラックが形成された第一基板１０１と、第一基板の記録トラック側に形成された第一情報層１０２と、第一情報層１０２と第二情報層１０４の間にあり記録再生光１０７に対してほぼ透明な中間層１０３と、第二情報層１０４と、記録再生光１０７に対してほぼ透明な第二基板１０５から構成されている。
第二基板１０５の厚みは、２０ＧＢ以上の記録容量、ＮＡ０．７以上の再生ヘッドとしたとき、集光された記録再生光の収差を小さくし、かつディスク面の傾きに対する許容度を大きくするため、約０．１ｍｍとする。また光ディスクの総厚みは、ディスクの剛性、ＣＤ、ＤＶＤとの互換性を考慮し約１．２ｍｍとする。従って、第一基板１０１の基板厚は約１．１ｍｍである。
再生は第二基板１０５側のディスク面より記録再生光１０７を入射し、第一情報層１０２、もしくは第二情報層１０４に記録再生光１０７を集光し、反射してきた記録再生光１０７の反射光強度を観測することによって行う。また記録可能である場合、記録は再生と同様に、第一情報層１０２、もしくは第二情報層１０４に記録再生光１０７を集光し、情報層を構成する第一相変化記録膜または第二相変化記録膜の屈折率を変化させることによって行う。
個体を識別するための情報１０６は、第一情報層１０２のみに存在し、凹凸の記録トラックが存在しない部分であるＢＣＡ領域（リードイン領域１０８よりも内周側にある領域）やリードイン領域１０８に記録される。個体を識別するための情報の記録は第一層変化記録膜または第二層変化記録膜の相を変化させ、屈折率を変化させることによって行う。この変化は不可逆で読み取り専用となる。
なお、個体を識別するための情報（個体識別情報）１０６は、本発明の固有識別情報に対応する。また、本実施の形態１〜２におけるＢＣＡ領域の内第一情報層にある部分やリードイン領域１０２の内第一情報層にある部分１０８は、本発明の固有識別情報記録領域に対応する。
情報層はアルミ、金等の反射膜によって構成されていてもよく、その場合の個体を識別するための情報の記録は反射膜を溶融除去することによって行われる。二層の情報層のうち一層の情報層に個体を識別するための情報を記録することによって、記録する情報層に最適化した記録を行うことができ、また他方の層からの影響を受けないため、読みとり精度が向上した光ディスクの作製が可能となる。
また、本実施の形態３において後述されるように、個体を識別するための情報１０６の場所を示す情報（固有識別情報が記録されている位置に関する情報）が位置情報記録領域としてのリードイン領域１０８などに記録されていてもよい。この場合、情報の内容としては通常の再生に必要な情報に加え、全層数、現在の層、第何層目に個体を識別するための情報が記録されているか、また記録されている半径位置またはアドレスはどこかといったことである。但し、本発明は複数層でない場合も適応可能である。これにより個体を識別するための情報への位置が特定できるため、容易に素早くアクセスすることが可能となる。
また、ＢＣＡに記録する情報は個体を識別するための情報の内容ではなく、個体を識別するための情報が記録された場所を示す情報であってもよい。場所を示す情報とはつまり、層、アドレスといった情報である。アドレス情報のみとすることにより、記録するデータ量を少なくすることができ、領域を小さくすることができる。個体を識別するための記録場所がデータ領域である場合に関しては、実施の形態３にて詳細に説明する。
（実施の形態１）
図４は、本実施の形態１における、情報を保持するための第一情報層１０２および第二情報層１０４を有し、入射される光を利用して、（１）情報を再生するための、または（２）情報を記録および再生するための光ディスクであって、光ディスクに固有に与えられた個体識別情報１０６が記録された、第一情報層１０２に対して設けられたＢＣＡ領域を備えた光ディスクの製造工程を示した図である。
まず第一基板１０１と第二基板１０５の作製方法を示す。なお、本実施の形態の特徴である、レーザ４０１を備えた光記録媒体製造装置（図６参照）による個体を識別するための情報１０６（固有識別情報）の記録に関しては、後に詳述する。
図２は第一基板１０１の作製方法を示した図である。ガラス盤２０１にフォトレジスト２０２を塗布し（工程（２ａ））、露光を行う（工程（２ｂ））。現像後（工程（２ｃ））、Ｎｉスパッタ、Ｎｉメッキを行い金属板２０３を形成し（工程（２ｄ））、金属板２０３を剥離し（工程（２ｅ））スタンパ２０４を得る。作製したスタンパ２０４を用い射出成形等の方法により、スタンパ２０４の形状をポリカーボネート等の合成樹脂に転写し（工程（２ｆ））、第一基板１０１を得る。なお、第一基板１０１は記録再生光が透過しないため、２Ｐ法等を用いガラスや金属等の物質で作製してもよい。
次に図３に第二基板１０５の作製方法を示す。スタンパは第一基板形成工程で示した方法と同様の方法により作製されたスタンパを用いる。スタンパ３０１に紫外線硬化樹脂３０２を塗布し（工程（３ａ））、その上よりポリカーボネート等の合成樹脂で作製された厚さ約０．１ｍｍの薄膜シート３０３を貼り付ける（工程（３ｂ））。紫外線硬化樹脂３０２を所望の膜厚にするため、スタンパ３０１と薄膜シート３０３を回転させ余分な紫外線硬化樹脂を除去した後（工程（３ｃ））、紫外線３０４を照射し紫外線硬化樹脂３０２を硬化させる（工程（３ｄ））。スタンパ３０１と紫外線硬化樹脂３０２との界面を剥離し、第二基板１０５を得る（工程（３ｅ））。
作製された第一基板１０１、第二基板１０５にはそれぞれのスタンパに対し凹凸の反転した記録トラックが形成される。凹凸の記録トラックは螺旋状のピットまたはグルーブパターンから構成され、内周径約２３ｍｍから外周径約５９ｍｍまでの範囲に形成される（工程（４ａ））。
次に書き換え可能な光ディスクである場合、第一基板１０１、第二基板１０５上に形成された凹凸の記録トラック上にそれぞれ第一情報層１０２、第二情報層１０４を形成する（工程（４ｂ）、工程（４ｅ））。情報層は、誘電体膜で挟まれた書き換え可能な相変化記録膜によって構成されており、必要に応じてさらにアルミや銀合金などの金属薄膜からなる反射膜が設けられている。これら誘電体膜、相変化記録膜、反射膜はスパッタ法等により形成される。ここで光ディスクへの記録再生は第二基板１０５側から行うため、第一情報層１０２は金属薄膜、誘電体膜、相変化記録膜、誘電体膜の順に、第二情報層１０４は誘電体膜、相変化記録膜、誘電体膜の順に形成する。また、個体識別情報を記録しない第二情報層１０４はここで全面初期結晶化する（ただし、再生専用の光ディスク（ＲＯＭ）の製造においては、そのような初期結晶化を行わなくともよい）。
再生専用の光ディスクの場合、第一基板１０１、第二基板１０５上に形成された凹凸の記録トラック上に記録再生光を反射させるためアルミ、銀合金等の金属薄膜を形成する。また追記型光ディスクの場合、凹凸の記録トラック上に色素記録膜を形成する。
次に第一情報層１０２に個体を識別するための情報１０６を記録する（工程（４ｃ））。情報の記録は凹凸の記録トラックが形成されている領域の内周部に、記録再生光に対する反射率の低い径方向の線の集合であるストライプ状のバーコードにより行われ、残りの領域は初期結晶化される。但し、記録された領域は不可逆である。また相変化記録膜でなく反射膜のみの再生専用ディスクの場合、反射膜を溶融除去する方法により記録が行われる。
第一情報層１０２に記録を行った後、次に第一基板１０１と第二基板１０５を貼り合わせる（工程（４ｆ））。第一情報層１０２上に紫外線硬化樹脂４０２を塗布し、第二基板１０５を第二情報層１０４が第一情報層１０２に対向するように貼り合わせる。紫外線硬化樹脂４０２が所望の膜厚になるように貼り合わせた基板を回転させる。厚みは情報層間で影響を受けず、かつ記録再生光の収差が最も小さくなる厚みに設定される。最後に紫外線４０３を照射し、紫外線硬化樹脂４０２を硬化させ、完成したディスクを得る。
ここで、個体を識別するための情報を記録する方法について詳細に説明する。図５は個体識別情報の外観を、図６に個体識別情報の記録方法を示す。中心部には光ディスク保持用の直径約１５ｍｍの孔５０２が、半径約２３ｍｍから約５９ｍｍの範囲には凹凸の記録トラックが形成された情報記録領域５０１が設けられている。個体を識別するための情報１０６は情報記録領域５０１と孔５０２の間に記録される。形状は記録再生光の反射率が低い径方向の線の集合としてストライプ状のバーコードであり、線の幅、線同士の間隔を変えることにより情報を記録する。
なお、レーザ４０１は、本発明の固有識別情報記録手段に対応する。
書き換え可能な光ディスクでは、個体識別情報信号発生器６０５から発生される個体を識別するための情報に基づきレーザ４０１を強度変調器６０４により強度変調し、第一基板１０１をモータ６０２により回転させながら強度変調したレーザ４０１を情報層１０２を構成する相変化記録膜へ照射する。レーザ４０１が照射された相変化記録膜は記録再生光に対する反射率の高い結晶相となり、レーザ４０１が照射されなかった相変化記録膜は反射率の低いアモルファス相のままとなる。レーザ４０１を照射しない部分を反射率の低い線として記録パターンを形成する。実際には記録パワーを０．５Ｗ〜２．０Ｗとし、また照射するビームの形状をビーム成型光学系６０１により基板の径方向に細長い形状、例として１００μ２ｍ×１μｍの形状として記録する。これを必要に応じて半径方向に周期的にずらし照射することで任意の長さ、間隔のバーコード状のパターンが得られる。
なお、個体を識別する情報を記録するためのレーザと相変化記録膜を初期結晶化するためのレーザを同一のレーザとすることにより、（４ｃ）や（４ｅ）の工程を簡略化することができる（ただし、再生専用の光ディスク（ＲＯＭ）の製造においては、そのような初期結晶化を行わなくともよい）。
また、ここでは相状態を変化させることでＢＣＡに記録しているが、強記録パワーを入射し相変化記録膜を溶融除去することによってＢＣＡに記録してもよい。
再生専用の光ディスクでは、相変化記録膜は存在せず金属薄膜のみからなる。そのため個体を識別するための情報は、ＹＡＧレーザ等の高出力レーザを用い、金属薄膜を溶融除去することによって行われる。具体的にはレーザ４０１をレーザビーム成形光学系６０１により約１０μｍ×約１．２ｍｍの形状に成形し、個体を識別する情報に基づき強度変調器６０４により強度変調した後、金属薄膜へ照射する。レーザ４０１が照射された金属薄膜は発生した熱により溶融除去され反射率が低くなる。このようにして反射率の低い線として記録パターンを形成することができる。
なお、個体を識別する情報の記録は形成されている凹凸にトラッキングサーボをかけて記録を行ってもよい。そうすることで正確な位置で記録を行うことが可能となる。
また、追記型光ディスクでは、記録再生光の波長に近いレーザを書き換え型光ディスクと同様にビーム成形し、情報層を構成する色素記録膜に照射する。レーザが照射された部分は反射率が低くなり記録パターンを形成する。
上述した実施の形態１における、一方の基板に追記情報を記録し基板同士を張り合わせる方法は、従来のＤＶＤで行われている方法に近い。そのため変更点が少なく容易に作製することが可能である。
なお、個体を識別するための識別情報１０６は第二情報層１０４に記録してもよい。第一情報層１０２に記録した場合、第一情報層１０２は厚みが最も厚い第一基板１０１上にあるため取り扱いが容易であるという利点があり、第二情報層１０４に記録した場合、第二情報層１０４の方が第一情報層１０２に比べ記録再生光の入射面に近いため、記録再生光１０７のフォーカス引き込みが早く、かつ容易に情報の検出を行うことが出来るといった利点がある。
（実施の形態２）
図７は本実施の形態２における光ディスク製造工程を示した図である。第一基板１０１はポリカーボネート等の合成樹脂もしくはガラスや金属からなり、実施の形態１と同様の方法により作製されたスタンパを用い、射出成型法、２Ｐ法等により作製される（工程（７ａ））。第一情報層１０２はアルミなどの金属薄膜からなる反射膜と誘電体膜に挟まれた書き換え可能な相変化記録膜によって構成されており、金属薄膜、誘電体膜、相変化記録膜、誘電体膜の順にスパッタ法等により形成される（工程（７ｂ））。
第一情報層１０２形成後、個体を識別するための情報１０６を記録する（工程（７ｃ））。記録方法は実施の形態１と同様である。またここで、第一情報層１０２の相変化記録膜で個体識別情報１０６を記録した部分以外の領域を初期結晶化する。
次に第一情報層１０２上に紫外線硬化樹脂７０２を塗布し、その上にスタンパ７０１を乗せ（工程（７ｄ））、紫外線硬化樹脂７０２が所望の膜厚になるように貼り合わせた基板１０１とスタンパ７０１を回転させる。紫外線硬化樹脂７０２に紫外線７０３を照射し、硬化させ（工程（７ｅ））、スタンパ７０１を紫外線硬化樹脂７０２から剥離させる（工程（７ｆ））。紫外線硬化樹脂７０２にはスタンパ７０１上の凹凸の記録トラックが転写される。
次に紫外線硬化樹脂７０２上に第二情報層１０４を形成する（工程（７ｇ））。第二情報層１０４は第一情報層１０２とほぼ同様、誘電体膜で挟まれた書き換え可能な相変化記録膜と、必要に応じてさらに銀合金などの金属薄膜からなる反射膜によって構成され、誘電体膜、相変化記録膜、誘電体膜の順にスパッタ法等により形成する。第二情報層１０４の相変化記録膜はここで初期結晶化する。
最後に第二情報層１０４上に紫外線硬化樹脂７０２を塗布し、第二基板１０５を貼り合わせ（工程（７ｈ））、紫外線硬化樹脂７０２が所望の膜厚になるよう回転させ、その後、紫外線を照射し紫外線硬化樹脂７０２を硬化させ完成したディスクを得る（工程（７ｉ））。
なお、第二情報層１０４形成後、第二相変化記録膜を初期結晶化するとともに個体を識別するための情報１０６を記録してもよい。この場合、第一相変化記録膜は予め、全面初期結晶化しておく。記録再生光の入射面に近い第二情報層１０４に個体を識別する識別情報１０６を記録することにより、フォーカスの引き込みが早いため、素早く、かつ容易に情報の検出を行うことが可能である。
実施の形態２の作製方法では、三層以上の情報層を有する光ディスクを作製することが可能であり、三層以上の情報層を有する光ディスクを作製する場合、工程（７ｇ）から工程（７ｄ）に戻って工程（７ｄ）〜（７ｇ）を必要な回数繰り返すことによって作製される。このとき、個体を識別するための情報は工程（７ｃ）で行わず、工程（７ｈ）の貼り合わせ工程前に行ってもよい（図８は、四層の情報層を有する光記録媒体であって、個体を識別するための情報は記録再生光の入射面に最も近い情報層に記録されている）。
もちろん、第一情報層１０２、第二情報層１０４にそれぞれ個体を識別するための情報１０６を記録再生光から見て重ならない位置に記録してもよい。この場合には、工程（７ｇ）から工程（７ｃ）を経て工程（７ｈ）に進むことになるが、レーザ４０１から射出される個体識別情報記録ビームを各層に応じて変更し、各情報層への記録位置を変えることにより、再生時、他層の影響を受けずに再生することが可能となる。かくして、情報を保持するための複数の情報層を有し、入射される光を利用して、（１）情報を再生するための、または（２）情報を記録および再生するための光記録媒体であって、光記録媒体に固有に与えられた固有識別情報が記録された、光が入射される方向からみて実質上重ならないように複数の情報層の内の二つ以上の情報層に対して設けられた固有識別情報記録領域を備えた光記録媒体を製造することができる。
なお、ディスク状の形状にこだわらず、他の光記録媒体、例えばカード状の光記録媒体にも適用できる。
（実施の形態３）
図９（ａ）、（ｂ）は、本実施の形態３における、情報を保持するための情報層を有し、入射される光を利用して、（１）情報を再生するための、または（２）情報を記録および再生するための光ディスクであって、光ディスクに固有に与えられた個体識別情報９０５が記録されている位置に関する情報が記録された所定の位置情報記録領域を備えた光ディスクを示した図である。
なお、本発明の位置情報記録領域は、図９（ａ）の光ディスクにおいてはＢＣＡ領域９０１に対応し、図９（ｂ）の光ディスクにおいてはリードイン領域９０２に対応する。
図９（ａ）の光ディスクはＢＣＡ領域９０１とリードイン領域９０２と学習領域９０３とデータ領域９０４に分かれており、また図９（ｂ）の光ディスクではリードイン領域９０２と学習領域９０３とデータ領域９０４に分かれている。ここではＢＣＡ領域９０１、学習領域９０３をそれぞれ設けているが、ＢＣＡ領域９０１と学習領域９０３とは特に区別されずに一体として設けられていてもよい。
リードイン領域９０２はプリピットで形成されたデータを有する。プリピットは光ディスク原盤作製時に形成されるため、１枚の光ディスク原盤から生成される全ての光ディスクに共通のデータである。内容としては光ディスク原盤の番号、当該光ディスクに記録されたデータを読み取るための最適のレーザ光の強度の値等である。
ＢＣＡ領域９０１は物理的または光学的な不可逆反応を利用し記録される。詳細な記録方法は実施の形態１に示す通りである。但し、レーザによるビーム形状は所望のパターンを得るために変える必要がある。
学習領域９０３は光ディスク装置に光ディスクをセットしたときに、当該領域にレーザ光を照射して記録時または再生時のレーザ光の強度を調整したり学習したりするための領域である。データ領域９０４は通常のデータを記録または再生するための領域である。
実施の形態３において、個体を識別するための情報が記録された場所（層、アドレス等）を示す情報は、９ａに示す光ディスクではＢＣＡ領域９０１に、また９ｂに示す光ディスクではリードイン領域９０２に記録されている。そして、実際の個体を識別するための個体識別情報９０５そのものは、ＢＣＡ領域９０１やリードイン領域９０２以外の領域であるデータ領域９０４中にレーザを利用して記録される（個体識別情報９０５は、たとえばコントロールデータを記録するためのコントロール領域に記録されてもよい）。
なお、レーザは、本発明の固有識別情報記録手段および位置情報記録手段を含む手段に対応する。
記録または再生するに際してはＢＣＡ９０１またはリードイン領域９０２の情報を読み取り、個体識別情報９０５の記録位置の確認した後、個体識別情報を確認するという動作を行う。このように二段階の個体識別情報確認作業を組み込むことにより、不正コピー防止や海賊版防止の能力を格段に向上させることが出来る。
図１０は実際のデータ領域９０４中に記録されている個体を識別するための情報を示した一例である。個体を識別するための個体識別情報９０５の記録は記録トラックに沿って記録され、その長さ、間隔、半径位置、アドレス位置、層位置も含めて、またはその一部で０または１を示す。ここで長さは周方向だけでなく径方向の長さ、即ち大きさといった意味も含む。
またここでは５トラックにまたがった記録の場合を示しているが、個体を識別するための情報はこのように１トラック以上の幅にまたがっても構わない。１トラックのみの幅にすることにより、ユーザデータ１００１の再生時にエラー訂正をする範囲が小さくなるという利点がある。なおこのとき、個体を識別するための情報はトラッキングサーボをかけて記録してもよい。そうすることで正確な位置での記録が可能となる。
ここで、記録される個体を識別するためのマーク１００２は、エラー訂正可能な長さである（エラー訂正が可能な最大長以下である）。そのため、データ領域にマーク１００２を記録しても、元のユーザデータ１００１の内容は、再生時にエラー訂正を行えるので読み取り不可能となることはない。そのため内周部の領域は不要となる。結果として、データ領域の面積を大きくし記憶容量を増やすことが可能となる。これは径の小さいディスクほど有効である。限られた面積を有効に使用するため、非常に効果が大きいといえる。
また個体識別情報はデータ領域９０４でなく、リードイン領域９０２や最外周のリードアウトに記録してもよい。リードイン領域９０２やリードアウト領域に記録しても同様の効果が得られる。
以上においては、本実施の形態１〜３について詳しく説明した。
このように、本発明にかかる光記録媒体、及び光記録媒体製造方法によれば、複数の情報層を有する光記録媒体において、一層の情報層に個体を識別するための情報を追加記録することにより、他層の影響を受けず、またその情報層への個体識別情報の記録を最適化することが可能となるため、精度良く識別情報を読みとることが可能となる。
また、識別情報を記録再生光を入射する入射面に最も近い情報層に記録することで、個体を識別するための情報が容易にかつ素早く、検出することができる。
また、識別情報そのものではなく、識別情報の場所を記録することによって、記録する領域を小さくできると共に、ＤＶＤとの互換性も保つことができる。
また、光ディスクが複数の基板により構成されている場合、個体を識別するための情報を基板の中で最も基板厚の厚い基板にある情報層に記録することによって、取り扱い、作製を容易にする。
また、少なくとも二つの情報層に個体を識別するための情報を記録し、それぞれの識別情報を記録再生光から見て重ならない記録位置にすることによって、再生時、他層の影響を受けず、精度良く識別情報を読みとることが可能となる。
また、リードイン領域に個体を識別するための情報の場所（層、アドレス等）を記録しておくことにより、個体を識別するための情報を素早く、容易に読み取ることが可能となる。
また、データ領域に個体を識別するための情報を記録することにより、データ領域を大きくし、その結果、記憶容量を増大させることが可能となる。
また、個体を識別するための情報を１トラックとすることで、個体を識別するための情報を記録した領域を小さくすることができ、そのためデータ領域を大きくすることが可能となる。
なお、発明は、上述した本発明の光記録媒体製造装置の全部または一部の手段（または、装置、素子、回路、部など）の機能をコンピュータにより実行させるためのプログラムであって、コンピュータと協働して動作するプログラムである。もちろん、コンピュータは、ＣＰＵなどの純然たるハードウェアに限らず、ファームウェアやＯＳ、さらに周辺機器を含むものであっても良い。
また、本発明は、上述した本発明の光記録媒体製造方法の全部または一部のステップ（。または、工程、動作、作用など）の動作をコンピュータにより実行させるためのプログラムであって、コンピュータと協働して動作するプログラムである。
なお、本発明の一部の手段（または、装置、素子、回路、部など）、本発明の一部のステップ（または、工程、動作、作用など）は、それらの複数の手段またはステップの内の幾つかの手段またはステップを意味する、あるいは一つの手段またはステップの内の一部の機能または一部の動作を意味するものである。
また、本発明の一部の装置（または、素子、回路、部など）は、それら複数の装置の内の幾つかの装置を意味する、あるいは一つの装置の内の一部の手段（または、素子、回路、部など）を意味する、あるいは一つの手段の内の一部の機能を意味するものである。
また、本発明のプログラムを記録した、コンピュータに読みとり可能な記録媒体も本発明に含まれる。また、本発明のプログラムの一利用形態は、コンピュータにより読み取り可能な記録媒体に記録され、コンピュータと協働して動作する態様であっても良い。また、本発明のプログラムの一利用形態は、伝送媒体中を伝送し、コンピュータにより読みとられ、コンピュータと協働して動作する態様であっても良い。また、記録媒体としては、ＲＯＭ等が含まれ、伝送媒体としては、インターネット等の伝送媒体、光・電波・音波等が含まれる。
なお、本発明の構成は、ソフトウェア的に実現しても良いし、ハードウェア的に実現しても良い。
また、発明は、上述した本発明の光記録媒体製造装置の全部または一部の手段の全部または一部の機能をコンピュータにより実行させるためのプログラムを担持した媒体であり、コンピュータにより読み取り可能かつ読み取られた前記プログラムが前記コンピュータと協動して前記機能を実行する媒体である。
また、本発明は、上述した本発明の光記録媒体製造方法の全部または一部のステップの全部または一部の動作をコンピュータにより実行させるためのプログラムを担持した媒体であり、コンピュータにより読み取り可能かつ読み取られた前記プログラムが前記コンピュータと協動して前記動作を実行する媒体である。
産業上の利用可能性
以上述べたところから明らかなように、本発明は、複数の情報層を有する光ディスクにおける個体を識別するための固有情報の読みとり精度を向上させることができるという長所を有する。
また、本発明は、個体を識別するための固有情報を記録するための専用領域を少なくすることができるという長所を有する。
【図面の簡単な説明】
図１は、実施の形態１における光記録媒体の断面図である。
図２は、実施の形態１における第一基板製造方法を示す図である。
図３は、実施の形態１における第二基板製造方法を示す図である。
図４は、実施の形態１における光ディスク製造工程図である。
図５は、実施の形態１における個体を識別するための情報の外観図である。
図６は、実施の形態１における個体識別情報の記録方法を示す図である。
図７は、実施の形態２における光ディスク製造工程図である。
図８は、実施の形態２における３層以上の情報層を有する光記録媒体の断面図である。
図９は、図９（ａ）；実施の形態３における、個体識別情報９０５が記録されている位置に関する情報がＢＣＡ領域９０１に記録された光ディスクを示す図である。
図９（ｂ）；実施の形態３における、個体識別情報９０５が記録されている位置に関する情報がリードイン領域９０２に記録された光ディスクを示す図である。
図１０は、実施の形態３における個体を識別するための情報を示す図である。
（符号の説明）
１０１　第一基板
１０２　第一情報層
１０３　中間層
１０４　第二情報層
１０５　第二基板
１０６　個体識別情報
１０７　記録再生光
１０８，９０２　リードイン領域
１０９，９０４　データ領域
２０１　ガラス基板
２０２　フォトレジスト
２０３　金属板
２０４，３０１，７０１　スタンパ
３０２，４０２，７０２　紫外線硬化樹脂
３０３　薄膜シート
３０４，４０３，７０３　紫外線
４０１　個体識別情報記録ビーム
５０１　情報記録領域
５０２　保持用孔
６０１　レーザビーム成型光学系
６０２　モータ
６０３　ロータリーエンコーダ
６０４　強度変調器
６０５　個体識別情報信号発生器
９０１　ＢＣＡ領域
９０３　学習領域
１００１　ユーザデータ
１００２　個体を識別するためのマーク
【図１】
2002037483.tif 000003
【図２】
2002037483.tif 000004
【図３】
2002037483.tif 000005
【図４】
2002037483.tif 000006
【図５】
2002037483.tif 000007
【図６】
2002037483.tif 000008
【図７】
2002037483.tif 000009
【図８】
2002037483.tif 000010
【図９（ａ）】
2002037483.tif 000011
【図９（ｂ）】
2002037483.tif 000012
【図１０】
2002037483.tif 000013
【国際公開パンフレット（コレクトバージョン）】
2002037483.tif 000014
2002037483.tif 000015
【国際調査報告】
2002037483.tif 000016
2002037483.tif 000017
2002037483.tif 000018
2002037483.tif 000019
2002037483.tif 000020
2002037483.tif 000021
2002037483.tif 000022